(57)【要約】  遮断器の操作性を向上することを課題とする。  遮断器は、遮断器主回路（３１）と、遮断器主回路搬送ユニット（２０）と、固定側ロック部材（２５）と、フロントサイドユニット（２６）と、配電盤（９０）とを備えている。フロントサイドユニット（２６）または固定側ロック部材（２５）にはロック解除部材（２４）が取り付けられている。遮断器主回路搬送ユニット（２０）が第１の位置に置かれている場合には、移動側ロック部材（２３）は初期位置にあり、遮断器主回路搬送ユニット（２０）が第１の位置から奥側に向かって移動すると、ロック解除部材（２４）と連動して移動側ロック部材（２３）が引き込み位置に向かって移動し、遮断器主回路搬送ユニット（２０）が第１の位置よりも奥側の第２の位置に到達すると、移動側ロック部材（２３）は、引き込み位置から初期位置に復帰して、固定側ロック部材（２５）に開口されている係合穴（２５ａ）と係合している。
2018142454.tif 000002
【特許請求の範囲】
【請求項１】
スイッチング動作を行う遮断器主回路と、前記遮断器主回路を搬送する遮断器主回路搬送ユニットと、係合穴が開口されている固定側ロック部材と、復元力を有する移動側ロック部材が取り付けられているフロントサイドユニットと、前記遮断器主回路搬送ユニットに搭載された遮断器主回路を収容する配電盤とを備え、前記フロントサイドユニットまたは前記固定側ロック部材にはロック解除部材が取り付けられていて、前記遮断器主回路搬送ユニットが第１の位置に置かれている場合には、前記移動側ロック部材は初期位置にあり、前記遮断器主回路搬送ユニットが前記第１の位置から奥側に向かって移動すると、前記ロック解除部材と連動して前記移動側ロック部材が引き込み位置に向かって移動し、前記遮断器主回路搬送ユニットが前記第１の位置よりも奥側の第２の位置に到達すると、前記移動側ロック部材は、前記引き込み位置から初期位置に復帰して、前記固定側ロック部材に開口されている係合穴と係合していることを特徴とする遮断器。
【請求項２】
前記ロック解除部材は、前記フロントサイドユニットに取り付けられていて、このロック解除部材は、前記移動側ロック部材よりも奥側に配置されており、固定側ロック部材には、ロック解除部材と係合する係合穴が開口されていることを特徴とする請求項１に遮断器。
【請求項３】
前記ロック解除部材は、前記フロントサイドユニットの移動側ロック部材に取り付けられていることを特徴とする請求項１に遮断器。
【請求項４】
前記ロック解除部材は、前記固定側ロック部材の入り口側に取り付けられていることを特徴とする請求項１に遮断器。
【請求項５】
前記フロントサイドユニットには、ユニット操作レバーが取り付けられていることを特徴とする請求項２から４のいずれか１項に記載の遮断器。
【請求項６】
前記第２の位置で、前記ユニット操作レバーを移動すると、連結されていたフロントサイドユニットと遮断器主回路搬送ユニットは分離し、前記遮断器主回路搬送ユニットに搭載されている遮断器主回路が、更に奥側に第３の位置まで移動することを特徴とする請求項５に記載の遮断器。
【請求項７】
前記フロントサイドユニットには、傾斜しているユニット操作ハンドルが取り付けられていることを特徴とする請求項２から４のいずれか１項に記載の遮断器。
【請求項８】
前記ユニット操作ハンドルと前記移動側ロック部材は、連動して動くことを特徴とする請求項７に記載の遮断器。
【請求項９】
前記ユニット操作ハンドルと前記移動側ロック部材は、復元力を有していることを特徴とする請求項７に記載の遮断器。
【請求項１０】
前記配電盤は、開口が設けられている扉を有していることを特徴とする請求項２から４のいずれか１項に記載の遮断器。
【発明の詳細な説明】
【技術分野】
【０００１】  この発明は、遮断器に関わり、特に、遮断器主回路の意図しない盤外への引出操作を防止するために、盤内挿入インターロック機構を備えた遮断器に関するものである。
【背景技術】
【０００２】  遮断器には、遮断器本体（遮断器主回路）が、扉を備えた配電盤の内部に備え付けられている(たとえば、特許文献１〜３)。盤内挿入インターロック機構を備えた遮断器は、盤外から遮断器本体の位置を操作するために、外部操作機構が取り付けられている。この遮断器において、盤内挿入インターロック機構は、遮断器本体の意図しない盤外への引出操作を防止するために設けられている。【０００３】  盤内挿入インターロック機構を備えた遮断器は、配電盤の扉を閉めた状態で、盤外から遮断器本体の位置を操作するために、外部操作機構を有する。遮断器本体を盤外に搬出したり、盤内に挿入するときは、配電盤の扉を開いて遮断器本体を直接手動で移動させる。盤内挿入インターロック機構を備えた遮断器は、この引出し操作や挿入操作にたいして、次のようなインターロック機構を有している。【０００４】  すなわち、配電盤の内部から遮断器本体を引き出す際に、意図しない遮断器本体の盤外への引出操作を防止するため、移動ロック機構（移動側ロック部材および固定側ロック部材）が動作する。移動ロック機構は、配電盤の筐体と接触し、意図しない遮断器本体の盤外引出操作を防止している。作業者が移動ロック機構の解除動作を行うことで、遮断器本体を盤外へ引出す動作が可能となる。このとき遮断器本体の盤内への挿入動作は、手動で移動ロック機構を解除することで行っていた。
【先行技術文献】
【特許文献】
【０００５】
【特許文献１】特開2011-10544号公報
【特許文献２】特開昭63-81607号公報
【特許文献３】特開2012-253895号公報
【発明の概要】
【発明が解決しようとする課題】
【０００６】  以上説明したように、配電盤から引出し可能な機器には、遮断器本体が含まれている。誤操作による盤外引出操作により、配電盤から機器が意図せずに落下または脱落する。配電盤からの機器の落下と脱落を防止するために、遮断器には移動ロック機構が取り付けられている。作業者は、移動ロック機構を解除することにより、配電盤の外部への引出し操作、配電盤の内部への挿入操作を行うことが可能である。外部操作機構を有する遮断器本体も、移動ロック機構を有している。移動ロック機構は、配電盤の筐体と係合し、遮断器本体の意図しない盤外引出しを防止する。【０００７】  外部操作機構を有する遮断器は、外部操作機構を有さない遮断器と構造の共用化を図るため、外部操作機構の構造ユニットは、遮断器本体の下部に取り付けられている。このため、遮断器本体の重心位置の付近に移動ロック機構の解除機構を設けるには、複数のリンクにより構成される必要がある。移動ロック機構の解除機構は、外部操作機構の構造ユニットに取り付けられている。【０００８】  外部操作機構を有する遮断器は、盤内挿入/盤外引出ユニット（遮断器主回路搬送ユニット）、遮断器室筺体（コンパートメント）、および、遮断器本体を備えている。盤内挿入/盤外引出ユニットは、外部操作機構を有した遮断器本体を盤内へ挿入する際に使用する。遮断器本体は、外部操作機構を有するものが盤内へ挿入される。外部操作機構を有した遮断器の盤内挿入/盤外引出ユニットでは、遮断器本体の盤内挿入時にも移動ロック機構が遮断器室筺体の係合部と接触する。作業者は、挿入操作時には盤内挿入/盤外引出ユニットの操作ハンドルを中央方向に引き、移動ロック機構の解除操作を行う必要がある。【０００９】  作業者は、移動ロック機構の解除操作を行ってから、遮断器本体の高さ方向の重心位置から離れた部分を持ち、配電盤の内部へ遮断器本体を挿入する。このため、遮断器本体の重心位置の付近を持ち、盤内挿入操作を行うよりも大きな操作力が必要である。次いで、作業者が解除操作を行いながら遮断器本体を配電盤内に挿入する。作業者は、このとき解除操作と挿入操作を同時に行う必要があるため、作業性が低下していた。【００１０】  本発明は、上記のような盤内挿入インターロック機構を備えた遮断器における課題を解決するためになされたものである。したがって、この発明は、引き出された遮断器本体を配電盤の内部へ挿入するにあたって、移動ロック機構を一時的に自動的解除させることを目的としている。そのようにすることで、遮断器本体の挿入作業を容易に行うことが出来る、盤内挿入インターロック機構を備えた遮断器を提供することを目的とする。
【課題を解決するための手段】
【００１１】  本発明に係わる遮断器は、スイッチング動作を行う遮断器主回路と、遮断器主回路を搬送する遮断器主回路搬送ユニットと、係合穴が開口されている固定側ロック部材と、復元力を有する移動側ロック部材が取り付けられているフロントサイドユニットと、遮断器主回路搬送ユニットに搭載された遮断器主回路を収容する配電盤とを備え、フロントサイドユニットまたは固定側ロック部材にはロック解除部材が取り付けられていて、遮断器主回路搬送ユニットが第１の位置に置かれている場合には、移動側ロック部材は初期位置にあり、遮断器主回路搬送ユニットが第１の位置から奥側に向かって移動すると、ロック解除部材と連動して移動側ロック部材が引き込み位置に向かって移動し、遮断器主回路搬送ユニットが第１の位置よりも奥側の第２の位置に到達すると、移動側ロック部材は、引き込み位置から初期位置に復帰して、固定側ロック部材に開口されている係合穴と係合していることを特徴とする。
【発明の効果】
【００１２】  本発明に係わる遮断器は、本発明に係わる遮断器は、スイッチング動作を行う遮断器主回路と、遮断器主回路を搬送する遮断器主回路搬送ユニットと、係合穴が開口されている固定側ロック部材と、復元力を有する移動側ロック部材が取り付けられているフロントサイドユニットと、遮断器主回路搬送ユニットに搭載された遮断器主回路を収容する配電盤とを備え、フロントサイドユニットまたは固定側ロック部材にはロック解除部材が取り付けられていて、遮断器主回路搬送ユニットが第１の位置に置かれている場合には、移動側ロック部材は初期位置にあり、遮断器主回路搬送ユニットが第１の位置から奥側に向かって移動すると、ロック解除部材と連動して移動側ロック部材が引き込み位置に向かって移動し、遮断器主回路搬送ユニットが第１の位置よりも奥側の第２の位置に到達すると、移動側ロック部材は、引き込み位置から初期位置に復帰して、固定側ロック部材に開口されている係合穴と係合していることを特徴とすることにより、第２の位置に到達すると、移動側ロック部材は、引き込み位置から初期位置に復帰する。【００１３】  フロントサイドユニットの盤内挿入インターロック機構は、盤内挿入時の移動ロック機構を自動的に解除すると共に、移動ロック機構が自動解除された後には、速やかに盤外引出に対するロックが復帰する構造である。配電盤の扉を閉めた状態で、遮断器主回路を盤内に挿入する際に、移動ロック機構を一時的に自動解除し、遮断器主回路の盤内操作力の低減、および、盤内挿入時の作業性の向上が実現可能である。
【図面の簡単な説明】
【００１４】
【図１】本発明の実施の形態による盤内挿入インターロック機構を備えた遮断器の内部構造を示す側断面図である。
【図２】本発明の実施の形態による遮断器ユニットの概略構成を示す側断面図である。
【図３】本発明の実施の形態による盤内挿入インターロック機構を備えた遮断器の構造を説明するための図で、遮断器主回路が試験位置にいる場合を表している全体回路図である。
【図４】本発明の実施の形態による盤内挿入インターロック機構を備えた遮断器の構造を説明するための図で、遮断器主回路が接続位置にいる場合を表している全体回路図である。
【図５】本発明の実施の形態１による遮断器主回路搬送ユニットの構造を説明するための図で、遮断器主回路が引出位置にいる場合を表している斜視図である。
【図６】本発明の実施の形態１による遮断器主回路搬送ユニットの構造を説明するための図で、遮断器主回路搬送ユニットを前方斜め上方から見た斜視図である。
【図７】本発明の実施の形態１による遮断器主回路搬送ユニットの構造を説明するための図で、フロントサイドユニットの部分拡大図である。
【図８】本発明の実施の形態１による遮断器主回路搬送ユニットを表す上面図（平面図）である。
【図９】本発明の実施の形態１による遮断器主回路搬送ユニットを表す正面図である。
【図１０】本発明の実施の形態１による遮断器主回路搬送ユニットを表す右側面図である。
【図１１】本発明の実施の形態１による遮断器主回路搬送ユニットのユニット操作ハンドルを表す拡大正面図であり、フロントサイドユニットが初期位置にいることを表している。
【図１２】本発明の実施の形態１による遮断器主回路搬送ユニットのユニット操作ハンドルを表す拡大正面図であり、フロントサイドユニットが引き込み位置にいることを表している。
【図１３】本発明の実施の形態１によるフロントサイドユニットの構造を説明するための図で、テーパー部材の拡大上面図（平面図）である。
【図１４】本発明の実施の形態１によるフロントサイドユニットの構造を説明するための図で、ユニット操作ハンドルおよびテーパー部材の構造を表す右側面図である。
【図１５】本発明の実施の形態１による遮断器主回路搬送ユニットの構造を説明するための図で、遮断器主回路が引出位置にいる場合を表している拡大側面図である。
【図１６】本発明の実施の形態１による遮断器主回路搬送ユニットの構造を説明するための図で、遮断器主回路が試験位置にいる場合を表している斜視外観図である。
【図１７】本発明の実施の形態１による遮断器主回路搬送ユニットの構造を説明するための図で、遮断器主回路が試験位置にいる場合を表している拡大側面図である。
【図１８】本発明の実施の形態１に係わる遮断器主回路搬送ユニットの構造を説明するための図で、遮断器主回路が接続位置にいる場合を表している斜視外観図である。
【図１９】本発明の実施の形態２に係わる遮断器主回路搬送ユニットの構造を説明するための図で、遮断器主回路が引出位置にいる場合を表している斜視外観図である。
【図２０】本発明の実施の形態２に係わる遮断器主回路搬送ユニットの構造を説明するための図で、遮断器主回路が引出位置にいる場合を表している拡大斜視図である。
【図２１】本発明の実施の形態２に係わる遮断器主回路搬送ユニットの構造を説明するための図で、遮断器主回路が引出位置にいる場合を表している拡大側面図である。
【図２２】本発明の実施の形態２に係わる遮断器主回路搬送ユニットの構造を説明するための図で、遮断器主回路が試験位置にいる場合を表している斜視外観図である。
【図２３】本発明の実施の形態２に係わる遮断器主回路搬送ユニットの構造を説明するための図で、遮断器主回路が試験位置にいる場合を表している拡大側面図である。
【図２４】本発明の実施の形態３に係わる遮断器主回路搬送ユニットの構造を説明するための図で、遮断器主回路が引出位置にいる場合を表している斜視外観図である。
【図２５】本発明の実施の形態３に係わる遮断器主回路搬送ユニットの構造を説明するための図で、遮断器主回路が引出位置にいる場合を表している拡大斜視図である。
【発明を実施するための形態】
【００１５】  本発明の実施の形態に係わる盤内挿入インターロック機構を備えた遮断器について、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、盤内挿入インターロック機構を備えた遮断器は、実際にはさらに複数の部材を備えているが、説明を簡単にするため、説明に必要な部分のみを記載し、他の部分については省略している。
【００１６】実施の形態１．  以下、本発明の実施の形態に係わる盤内挿入インターロック機構を備えた遮断器について図を参照して説明する。遮断器の遮断器主回路搬送ユニット（盤内挿入/盤外引出ユニット）は、配電盤の扉を閉めた状態で、遮断器本体の位置を操作可能な外部操作機構を有している。図１は、この発明を適用した、盤内挿入インターロック機構を備えた遮断器の構成を示す側断面図である。本発明の実施の形態に係わる遮断器１００は、通常、横方向に複数台が並べて配置されている。遮断器１００は、遮断器ユニット３０、配電盤９０、水平母線１０３、ケーブル１０４、変流器１０６などから構成されていて、盤内挿入インターロック機構を備えている。
【００１７】  遮断器ユニット３０は、配電盤９０の内部に納められている。配電盤９０は、配電盤本体９１と配電盤扉９２から構成されている。配電盤９０の配電盤扉９２は、配電盤本体９１の前面側に開閉可能に設けられている。配電盤扉９２には、扉開口部９２ａが２か所に設けられている。配電盤本体９１の内部のほぼ中央には、複数台の配電盤本体９１の間を貫いて水平方向に水平母線１０３を配置している。ここで、水平方向は、図において、紙面の厚み方向を指している。配電盤本体９１の内部には、遮断器ユニット３０などが取り付けられている。
【００１８】  水平母線１０３の後方には、配電盤本体９１の床面から上方に立ち上がるように２本のケーブル１０４を配置している。また、水平母線１０３の前方には、配電盤本体９１に固定された遮断器ユニット３０を上下方向に２個配置している。各々の遮断器ユニット３０の内部には、１台の遮断器主回路３１を配置している。接続部１０５は、絶縁カバーで保護されており、遮断器ユニット３０の後部壁に装着されている。接続部１０５は、上下２段に分かれて、計６個が一つの遮断器ユニット３０に、設けられている。遮断器主回路搬送ユニット２０とフロントサイドユニット２６は、外部操作機構の構造ユニットとして機能する。接続部１０５の一端は、水平母線１０３あるいは変流器１０６を介してケーブル１０４に接続されている。
【００１９】  遮断器ユニット３０は、遮断器本体の位置を操作可能な外部操作機構を有している。接続部１０５の他端は、遮断器主回路３１の前後方向への移動により、遮断器主回路３１の端子と切離する。遮断器ユニット３０は、遮断器主回路３１と遮断器主回路搬送ユニット２０（盤内挿入/盤外引出ユニット）などから構成されている。遮断器主回路３１は、遮断器主回路搬送ユニット２０に搭載されており、遮断器ユニット３０の内部において、配電盤本体９１の前後方向に適宜に移動である。この図では、遮断器主回路３１は、試験位置に置かれている。フロントサイドユニット２６は、遮断器主回路搬送ユニット２０の前部に取り付けられている。
【００２０】  図２は、この発明を実施するための実施の形態に係わる遮断器ユニット３０の主要構成を表している、概略断面図である。各々の遮断器主回路３１は、遮断器主回路搬送ユニット２０に搭載されている。遮断器ユニット３０は配電盤９０に固定されている。各々の遮断器主回路搬送ユニット２０には、キャスター２１などが設けられている。遮断器主回路３１には、前面に遮断器ハンドル３２が取り付けられている。フロントサイドユニット２６には、ユニット操作レバー２８、ユニット操作ハンドル２２などが取り付けられている。
【００２１】  フロントサイドユニット２６のユニット操作レバー２８を操作するには、操作棒の先端を扉開口部９２ａに通す必要がある。この操作棒を用いてユニット操作レバー２８を配電盤９０の外部から操作すると、遮断器主回路搬送ユニット２０に搭載された遮断器主回路３１が水平方向に移動する。遮断器主回路３１を配電盤９０に設置するには、盤外で遮断器主回路搬送ユニット２０に搭載した遮断器主回路３１を、先ず、配電盤扉９２を開けた状態で、遮断器ユニット３０のコンパートメント３０Ａに搭載する。この時、遮断器主回路３１は、引出位置Ａ（第１の位置）に置かれている。また、遮断器主回路搬送ユニット２０は、引出位置Ｄ（第１の位置）に置かれている。引出位置は、遮断器主回路３１の前面部が一部盤外に引き出された状態を意味している。
【００２２】  次いで、遮断器ハンドル３２またはユニット操作ハンドル２２を手動で押して、遮断器主回路３１および遮断器主回路搬送ユニット２０を、試験位置Ｂ（第２の位置）および試験位置Ｅ（第２の位置）にまで移動する。さらに、配電盤扉９２を閉めた状態で、操作棒を用いてフロントサイドユニット２６のユニット操作レバー２８を操作すると、キャスター２１を備えた遮断器主回路搬送ユニット２０は、水平方向に機械的に移動し、遮断器主回路３１が接続位置Ｃ（第３の位置）にまで到達する。すなわち、遮断器ユニットは外部操作機構を備えている。
【００２３】  図３は、本発明の実施の形態による盤内挿入インターロック機構を備えた遮断器の構造を説明するための全体回路図である。スイッチング動作を行う遮断器主回路３１は、試験位置（第２の位置）に置かれている。この状態では、遮断器主回路３１は、接続部１０５から、切離されている。遮断器ユニットでは、遮断器主回路３１に表示された矢印の向きに、電流が流れる。遮断器主回路３１は、試験位置でも、接続部１０５から、切離されている。電力の受電回路は、通常三相回路（Ｒ相、Ｓ相、Ｔ相）となっている。このため、３本のブスバー（水平母線１０３）を平行するように配置している。配電盤の側断面図では、各相（Ｒ相、Ｓ相、Ｔ相）は、上側遮断器主回路の下側端子と、下側遮断器主回路の上側端子に接続されている。
【００２４】  ケーブル１０４は、直径が数センチメートル位の絶縁電線である。このケーブル１０４は、スイッチギヤ（遮断器）の床面から上方に向けてスイッチギヤの内側に引き込まれている。ケーブル１０４を、天井からスイッチギヤ内に引き込む方式もある。変流器１０６（ＣＴ：Current  Transformer）は、ブスバーに装着されて、ブスバーに流れる電流値（数百〜数千Ａ）を検出している。ケーブル１０４の立上がり部の〇印は、ブスバーと引き込まれたケーブル先端の接続部を示している。接続部１０５は、遮断器主回路３１の端子と切離可能である。接続部１０５と〇印の間は、断面が平角状の銅製のブスバーである。
【００２５】  図４は、本発明の実施の形態による盤内挿入インターロック機構を備えた遮断器の構造を説明するための全体回路図である。遮断器主回路３１は、接続位置（第３の位置）に置かれている。この状態では、遮断器主回路３１は、接続部１０５に接続されている。スイッチング動作を行う遮断器主回路３１が、開状態から閉状態になり、２本のケーブル１０４に、逆方向に電流が流れている。変流器１０６で、電流の大きさを検出している。ブスバーには数千Ｖの電圧が印加されている。スイッチギヤの筺体、内部の各室間の仕切りは接地電位となっている。また、ブスバーは、変流器１０６（ＣＴ）を貫通するように配置している。ブスバーには数千Ｖの電圧が印加されているので、接地電位であるスイッチギヤの筺体や仕切りから所定の絶縁距離を確保するように設計している。さらに、前述の変流器１０６（ＣＴ）を貫通するように配置している。
【００２６】  図５は、この発明を実施するための実施の形態１に係わる遮断器ユニット３０の主要構成要素を表している、斜視図である。遮断器ユニット３０は、コンパートメント３０Ａ（背板３５、側板３６など）、遮断器主回路搬送ユニット２０、遮断器主回路３１などから構成されている。この図では、遮断器主回路搬送ユニット２０に搭載されている遮断器主回路３１は、引出位置（第１の位置）に置かれている。スイッチング遮断器の主回路部から伸びる芯線を保護するために、遮断器主回路３１には絶縁カバー３４が設けられている。フロントサイドユニット２６は、フロントサイドユニット本体２６Ａ、ユニット操作ハンドル２２、ユニット操作レバー２８などから構成されている。盤内挿入インターロック機構４０は、引出位置で遮断器主回路搬送ユニット２０にすでに取り付けられていてもよい。
【００２７】  盤内挿入インターロック機構４０は、遮断器主回路搬送ユニット２０の左右に取り付けられている。ユニット操作ハンドル２２およびユニット操作レバー２８は、フロントサイドユニット２６（フロントサイドユニット本体２６Ａ）に取り付けられている。作業者が遮断器ハンドル３２（ユニット操作ハンドル２２）を奥方向（Ｐ方向）に押すと、遮断器主回路搬送ユニット２０および遮断器主回路３１が後方向（奥側）に移動する。作業者が遮断器ハンドル３２（ユニット操作ハンドル２２）を扉側方向（Ｑ方向）に引き戻すと、遮断器主回路搬送ユニット２０および遮断器主回路３１が前方向（前側）に移動する。
【００２８】  図６は、この発明を実施するための実施の形態１に係わる遮断器ユニット３０の移動機構（遮断器主回路搬送ユニット２０およびフロントサイドユニット２６）を表している、斜視図である。フロントサイドユニット２６は、フロントサイドユニット本体２６Ａ、ユニット操作ハンドル２２、移動側ロック部材２３、テーパー部材２４（ロック解除部材）、ユニット操作レバー２８などから構成されている。遮断器主回路搬送ユニット２０には、遮断器主回路３１が引出位置で搭載される。遮断器主回路３１が搭載された遮断器主回路搬送ユニット２０は、作業者が試験位置でユニット操作レバー２８を倒すと、フロントサイドユニット２６から離れて、Ｐ方向に向かって、コンパートメント３０Ａのスライドベース３７の上を機械的に接続位置まで移動する。作業者が接続位置でユニット操作レバー２８を再度操作すると、遮断器ユニット３０は、コンパートメント３０Ａのスライドベース３７の上を機械的にＱ方向に移動し、試験位置に戻る。
【００２９】  図７は、この発明を実施するための実施の形態１に係わる遮断器主回路搬送ユニット２０における、盤内挿入インターロック機構４０の主要構成要素を表している、拡大斜視図である。盤内挿入インターロック機構４０は、固定側ロック部材２５、移動側ロック部材２３、テーパー部材２４（ロック解除部材）などから構成されている。ここでは、遮断器ユニット（遮断器主回路搬送ユニット２０、フロントサイドユニット２６および遮断器主回路３１）は引出位置に置かれている。ここでは、復元力を有する移動側ロック部材２３は初期位置にある。
【００３０】  同図を用いて、盤内挿入インターロック機構４０の詳細な構造を説明する。固定側ロック部材２５には、第１の係合穴２５ａと第２の係合穴２５ｂが開口されている。第１の係合穴２５ａは、移動側ロック部材２３に対応している。第２の係合穴２５ｂは、テーパー形状を有するテーパー部材２４に対応している。引出位置では、移動側ロック部材２３とテーパー部材２４は、固定側ロック部材２５の外部（入り口側）に置かれている。移動側ロック部材２３およびテーパー部材２４は、フロントサイドユニット２６に取り付けられている。第１の係合穴２５ａは第２の係合穴２５ｂよりも配電盤の前側に配置されている。
【００３１】  図８は、この発明を実施するための実施の形態１に係わる遮断器主回路搬送ユニット２０の主要動作を説明するための平面図である。この図では、遮断器主回路搬送ユニット２０（遮断器主回路３１）は、試験位置に置かれている。同図には、遮断器主回路搬送ユニット２０、固定側ロック部材２５、スライドベース３７（底板）、フロントサイドユニット２６、遮断器主回路３１などが示されている。作業者は、電気的な安全を確保するために、操作棒７０を用いて、配電盤扉９２（配電盤９０）の外側から、ユニット操作レバー２８を操作する。
【００３２】  作業者は、ユニット操作レバー２８を操作するには、操作棒７０を、配電盤扉９２に開口されている扉開口部９２ａから、配電盤本体９１の内部に、挿入する。ユニット操作レバー２８が操作されると、遮断器主回路搬送ユニット２０は、フロントサイドユニット２６から分離して、スライドベース３７の上をスライド移動する。遮断器主回路搬送ユニット２０は、配電盤の奥方向（Ｐ方向、図５を参照）に向かって、遮断器ユニット３０の接続位置まで移動する。固定側ロック部材２５は、遮断器主回路搬送ユニット２０の左右２か所に設けられている。
【００３３】  フロントサイドユニット２６には、ユニット操作レバー２８の反対側に、テーパー部分を有するテーパー部材２４が取り付けられている。テーパー部材２４は、移動側ロック部材２３およびユニット操作ハンドル２２と連動して動く。テーパー部材２４は、作業者がユニット操作ハンドル２２を中央方向に動かすと、同じく中央方向に向かって動くため、盤内挿入インターロック機構４０の位置ロックが解除される。
【００３４】  図９は、この発明を実施するための実施の形態１に係わる遮断器ユニット３０の主要構成を表している、正面図である。遮断器ユニット３０は、遮断器主回路３１と遮断器主回路搬送ユニット２０とフロントサイドユニット２６などから構成されている。ユニット操作レバー２８、ユニット操作ハンドル２２、移動側ロック部材２３、テーパー部材２４などが、フロントサイドユニット２６に取り付けられている。テーパー部材２４は、移動側ロック部材２３の奥に配置されている。フロントサイドユニット２６のユニット操作ハンドル２２は、作業者が手動でフロントサイドユニット２６（遮断器主回路３１）の中央方向（矢印の方向）に向かって動かすことができる。
【００３５】  作業者がフロントサイドユニット２６のユニット操作ハンドル２２を中央方向に動かすと、フロントサイドユニット２６の移動側ロック部材２３（およびテーパー部材２４）も中央方向に向かって縮退しながら、引き込み位置に移動する。移動側ロック部材２３が中央方向に引き込まれると、盤内挿入インターロック機構４０の位置ロックが解除される。試験位置で、ユニット操作レバー２８を右方向に倒すと、フロントサイドユニット２６から分離して、遮断器主回路搬送ユニット２０および遮断器主回路３１が奥方向に進入する。
【００３６】  図１０は、この発明を実施するための実施の形態１に係わる遮断器主回路３１および遮断器主回路搬送ユニット２０の主要構成要素を表している、側面図である。遮断器ユニット３０は、遮断器主回路搬送ユニット２０、スライドベース３７（底板）、フロントサイドユニット２６、遮断器主回路３１などから構成されている。遮断器主回路搬送ユニット２０には、遮断器主回路３１が搭載されている。遮断器ユニット３０が試験位置Ｂに置かれているときに、作業者がユニット操作レバー２８を操作すると、遮断器主回路搬送ユニット２０は、接続位置Ｃに向かって、スライドベース３７の上をスライド移動する。
【００３７】  図１１は、この発明を実施するための実施の形態１に係わるフロントサイドユニット２６の主要構成を表している、正面図である。同図は、発明の実施の形態１によるユニット操作ハンドル２２の近傍を表している拡大図である。フロントサイドユニット２６の、ユニット操作ハンドル２２、移動側ロック部材２３およびテーパー部材２４が、初期位置にいることを表している。テーパー部材２４は、フロントサイドユニット２６の裏側にリベット２４ａで固定されている。ユニット操作ハンドル２２は、縮退状態（引き込み位置）から作業者が手を放すと、復元バネ２７の作用で、中央方向から外部方向に向かって、復帰する。ユニット操作ハンドル２２、移動側ロック部材２３およびテーパー部材２４の動きは、連動している。
【００３８】  図１２は、この発明を実施するための実施の形態１に係わるフロントサイドユニット２６の主要構成を表している、正面図である。同図は、ユニット操作ハンドル２２の近傍を表している拡大図である。フロントサイドユニット２６の、ユニット操作ハンドル２２、移動側ロック部材２３およびテーパー部材２４が、引き込み位置に縮退していることを表している。ユニット操作ハンドル２２は、作業者が縮退状態から手を放すと、復元バネ２７の作用で、引き込み位置（中央方向）から初期位置（外部方向）に向かって、復帰する。ユニット操作ハンドル２２、移動側ロック部材２３およびテーパー部材２４の動きは、連動している。
【００３９】  図１３は、発明の実施の形態１によるユニット操作ハンドル２２の近傍における上面拡大図である。同図を用いて、この発明を実施するための実施の形態に係わるテーパー部材２４の形態を詳細に説明する。フロントサイドユニット２６のテーパー部材２４は、フロントサイドユニット本体２６Ａにリベット２４ａで固定されている。テーパー部材２４は、主要辺２４ｂが、フロントサイドユニット２６（および遮断器主回路搬送ユニット２０）の内部側に向かって幅が減少するように、テーパー状に加工されている。テーパー部材２４の主要辺２４ｂは、フロントサイドユニット２６に取り付けられている移動側ロック部材２３が、遮断器主回路搬送ユニット２０のロック位置から解除するように機能する。
【００４０】  すなわち、フロントサイドユニット２６と連結された遮断器主回路搬送ユニット２０が引出位置（第１の位置）から配電盤の奥側に向かって移動して、フロントサイドユニット２６のテーパー部材２４が固定側ロック部材２５と接触すると、フロントサイドユニット２６の移動側ロック部材２３が連動してフロントサイドユニット２６の中央方向に引き込み位置に向かって移動する。なお、同図では、遮断器主回路の挿入方向に対して、テーパー部材２４を中央方向に傾けることにより構成しているが、テーパー部材２４の形状はこれに限定されるものではない。移動側ロック部材２３とテーパー部材２４は別部品にて構成しているが、テーパーの構成方法は問わないものとする。
【００４１】  図１４は、発明の実施の形態１によるフロントサイドユニット２６のユニット操作ハンドル２２の近傍を表す拡大側面図である。同図を用いて、この発明を実施するための実施の形態に係わるユニット操作ハンドル２２の形態を詳細に説明する。ユニット操作ハンドル２２とテーパー部材２４は、フロントサイドユニット本体２６Ａにリベット２４ａで固定されている。テーパー部材２４は、主要辺２４ｂが、テーパー状に加工されている。ユニット操作ハンドル２２は、握りやすさを考慮して、傾斜している。
【００４２】  図１５は、本実施の形態に係わる盤内挿入インターロック機構４０の主要構成要素を表している、拡大側面図である。同図には、遮断器主回路搬送ユニット２０、遮断器主回路３１、移動側ロック部材２３、テーパー部材２４、固定側ロック部材２５、フロントサイドユニット２６などが表示されている。この図では、遮断器主回路３１は、引出位置に置かれている。第１の係合穴２５ａと第２の係合穴２５ｂは、それぞれ、固定側ロック部材２５に加工されている。移動側ロック部材２３は、初期位置にある。
【００４３】  第１の係合穴２５ａは、移動側ロック部材２３に対応する大きさに開口されている。第２の係合穴２５ｂは、テーパー部材２４に対応する大きさ並びに高さに開口されている。遮断器主回路搬送ユニット２０のキャスター２１は、遮断器主回路３１が飛び出さないように、主軸が、固定側ロック部材２５の内側上辺２５ｄをスライドしながら移動する。遮断器主回路搬送ユニット２０が引出位置から試験位置に移動する際に、テーパー部材２４は固定側ロック部材２５から抗力を受ける。この抗力によって、移動側ロック部材２３は、フロントサイドユニット２６の中央方向に向かって縮退しながら引き込み移動する。
【００４４】  図１６は、この発明を実施するための実施の形態１に係わる遮断器ユニット３０の主要構成要素を表している、斜視図である。同図では、遮断器主回路搬送ユニット２０および遮断器主回路３１が試験位置にいる場合が表現されている。フロントサイドユニット２６と直交するように、固定側ロック部材２５が遮断器主回路搬送ユニット２０の左右に取り付けられている。固定側ロック部材２５は、遮断器ユニット３０（コンパートメント３０Ａ）に固定されている。試験位置では、移動側ロック部材２３と固定側ロック部材２５が係合しているため、フロントサイドユニット２６および遮断器主回路搬送ユニット２０の移動が制限されている。
【００４５】  図１７は、この発明を実施するための実施の形態１に係わる盤内挿入インターロック機構４０の主要構成要素を表している、拡大側面図である。同図には、遮断器主回路搬送ユニット２０、遮断器主回路３１、移動側ロック部材２３、固定側ロック部材２５などが表示されている。この図では、遮断器ユニット３０（遮断器主回路３１）は、試験位置に置かれている。固定側ロック部材２５の第１の係合穴２５ａは、移動側ロック部材２３と係合している。固定側ロック部材２５の第２の係合穴２５ｂは、テーパー部材２４と係合している。このため、フロントサイドユニット２６は、固定側ロック部材２５に対して、位置がロックされていて、奥方向にこれ以上進行することができない。移動側ロック部材２３は、初期位置にある。
【００４６】  図１８は、この発明を実施するための実施の形態に係わる遮断器ユニット３０の主要構成要素を表している、斜視図である。同図には、遮断器主回路搬送ユニット２０および、遮断器主回路３１が接続位置にいる場合が表現されている。遮断器ユニット３０の接続位置では、第１の係合穴２５ａは、移動側ロック部材２３と係合している。同様に、遮断器ユニット３０の接続位置では、第２の係合穴２５ｂは、テーパー部材２４と係合している。このため、フロントサイドユニット２６は、固定側ロック部材２５に対して、位置がロックされていて、奥方向にこれ以上進行することができない。作業者が、盤外から、ユニット操作レバー２８を横方向に倒すと、遮断器主回路搬送ユニット２０および遮断器主回路３１は、配電盤の奥方向に機械的に移動し、遮断器ユニット３０は接続位置に置かれる。接続位置に到達した遮断器主回路３１は、芯線の接続が完了した状態になる（図４を参照）。
【００４７】  以上説明したように、本実施の形態に係わる遮断器ユニットは、外部操作機構を有しており、配電盤の扉を閉めた状態で、試験位置から接続位置までの間で遮断器主回路（遮断器本体）の位置を操作することが可能である。遮断器主回路搬送ユニット２０には遮断器主回路３１が搭載されている。作業者は、配電盤の扉を開けた状態で、遮断器主回路搬送ユニット２０、および、遮断器主回路３１をＰ方向、Ｑ方向に操作し、盤内挿入と盤外引出を行うものである。挿入操作時、作業者はユニット操作ハンドル２２を持ち、図中のＰ方向に力を加え、遮断器主回路の挿入操作を行う。
【００４８】  本実施の形態は、移動側ロック部材２３に、位置ロックの自動解除のためのロック解除部材（テーパー部材２４）を連結することを特徴とする。テーパー部材２４は、ユニット操作ハンドル２２に締結されている。ユニット操作ハンドル２２には復元バネ２７（復帰ばね）が設けられていて、ユニット操作ハンドル２２は、自動で遮断器外側に向けて復帰するものである。作業者は、挿入操作時、遮断器ハンドル３２を持ち、盤内挿入を行うものである。
【００４９】  挿入操作時には、フロントサイドユニット２６のテーパー部材２４が固定側ロック部材２５の第２の係合穴２５ｂと係合することにより、フロントサイドユニット２６のテーパー部材２４が遮断器主回路搬送ユニット２０の中央方向へと移動する。フロントサイドユニット２６のテーパー部材２４の中央方向への移動に連動し、移動側ロック部材２３も遮断器主回路搬送ユニット２０の中央方向へと移動するため、挿入操作時には移動ロック機構の自動解除が可能である。
【００５０】  本実施の形態は、遮断器ユニット３０において、移動側ロック部材２３の遮断器挿入方向にテーパー部材２４を設けることにより、盤内挿入時には移動側ロック部材の自動解除が可能となる。このため、作業者は、挿入操作時に移動側ロック部材の解除が不要となるので、遮断器ハンドル３２を持ち、遮断器主回路３１の挿入操作を行うことが可能である。遮断器ハンドル３２は遮断器主回路３１の重心付近に配置されており、加えて作業者が加える力は図中Ｐ方向のみであるため、操作力を低下させることができる。
【００５１】  すなわち、本実施の形態に係わる遮断器は、スイッチング動作を行う遮断器主回路と、前記遮断器主回路を搬送する遮断器主回路搬送ユニットと、第１の係合穴と第２の係合穴が開口されている固定側ロック部材と、ロック解除部材と移動側ロック部材が取り付けられているフロントサイドユニットと、前記遮断器主回路搬送ユニットに搭載された遮断器主回路を収容する配電盤とを備え、前記第１の係合穴は前記第２の係合穴よりも前記配電盤の前側に配置され、前記フロントサイドユニットと連結された遮断器主回路搬送ユニットが第１の位置から前記配電盤の奥側に向かって移動して、前記フロントサイドユニットのロック解除部材が前記固定側ロック部材と接触すると、前記フロントサイドユニットの移動側ロック部材が連動してフロントサイドユニットの中央方向に移動し、前記遮断器主回路搬送ユニットがこの第１の位置よりも奥側の第２の位置に到達すると、前記移動側ロック部材と前記ロック解除部材は、前記第１の係合穴と前記第２の係合穴とそれぞれ係合して、記フロントサイドユニットと連結された遮断器主回路搬送ユニットは移動がロックされることを特徴とする。
【００５２】実施の形態２．  以下、本発明の実施の形態２に係わる盤内挿入インターロック機構を備えた遮断器について図を参照して説明する。図１９は、本発明の実施の形態２に係る盤内挿入インターロック機構４０を説明するための斜視図である。この図では、遮断器主回路搬送ユニット２０および遮断器主回路３１は、引出位置に置かれている。実施の形態２に係わる盤内挿入インターロック機構４０は、実施の形態１に係る盤内挿入インターロック機構とは、移動側ロック部材２３と固定側ロック部材２５の形状が異なる。
【００５３】  図２０は、この発明を実施するための実施の形態２に係わる盤内挿入インターロック機構４０の主要構成要素を表している、斜視図である。同図は、遮断器主回路搬送ユニット２０およびユニット操作ハンドル２２の付近の拡大図である。この図では、遮断器主回路３１は、引出位置に置かれている。実施の形態２に係わる移動側ロック部材２３は、山型に加工され、途中で折れ曲がっていて、テーパー部材２３ａ（ロック解除部材またはテーパー面）を備えている。実施の形態２に係わる固定側ロック部材２５は、移動側ロック部材２３に対応する位置に、係合穴２５ｃが一か所だけに設けられている。
【００５４】  図２１は、この発明を実施するための実施の形態２に係わる盤内挿入インターロック機構４０の主要構成要素を表している、側面図である。この図では、遮断器主回路３１は、引出位置に置かれている。実施の形態２に係わる移動側ロック部材２３も、ユニット操作ハンドル２２と連動してフロントサイドユニット２６の中央方向に移動する。実施の形態２に係わる固定側ロック部材２５には、移動側ロック部材２３に対応する位置に、係合穴２５ｃが一か所だけに設けられている。移動側ロック部材２３のテーパー部材２３ａ（テーパー面）は、テーパー形状を有しており、遮断器主回路搬送ユニット２０が引出位置から試験位置に移動する際に、固定側ロック部材２５から抗力を受ける。
【００５５】  図２２は、この発明を実施するための実施の形態２に係わる遮断器ユニット３０の主要構成要素を表している、斜視図である。同図では、遮断器ユニット３０（遮断器主回路搬送ユニット２０、および、遮断器主回路３１）が試験位置にいる場合が表現されている。遮断器主回路搬送ユニット２０には、フロントサイドユニット２６と直交するように、固定側ロック部材２５が左右に取り付けられている。実施の形態２に係わる固定側ロック部材２５には、移動側ロック部材２３に対応する位置に、係合穴２５ｃが設けられている。遮断器ユニット３０の試験位置では、固定側ロック部材２５の係合穴２５ｃとフロントサイドユニット２６の移動側ロック部材２３が係合している。
【００５６】  図２３は、この発明を実施するための実施の形態２に係わる盤内挿入インターロック機構４０の主要構成要素を表している、拡大側面図である。同図は、遮断器主回路搬送ユニット２０、移動側ロック部材２３および固定側ロック部材２５を拡大表示している。この図では、遮断器ユニット３０は、試験位置に置かれている。固定側ロック部材２５の係合穴２５ｃは、実施の形態２に係わる移動側ロック部材２３と係合している。このため、フロントサイドユニット２６は、固定側ロック部材２５に対して、位置がロックされていて、奥方向にこれ以上進行することができない。
【００５７】  以上説明したように、本実施の形態に係わる遮断器ユニットは、外部操作機構を有しており、配電盤の扉を閉めた状態で、試験位置から接続位置までの間で遮断器主回路（遮断器本体）の位置を操作することが可能である。遮断器主回路搬送ユニット２０には遮断器主回路３１が搭載されている。作業者は、配電盤の扉を開けた状態で、遮断器主回路搬送ユニット２０、および、遮断器主回路３１をＰ方向、Ｑ方向に操作し、盤内挿入と盤外引出を行うものである。挿入操作時、作業者はユニット操作ハンドル２２を持ち、図中のＰ方向に力を加え、遮断器主回路の挿入操作を行う。
【００５８】  本実施の形態は、移動側ロック部材２３に、位置ロックの自動解除のためのロック解除部材（テーパー部材２３ａ：テーパー面）を配置することを特徴とする。テーパー部材２３ａを有する移動側ロック部材２３は、ユニット操作ハンドル２２に締結されている。ユニット操作ハンドル２２には復元バネ２７（復帰ばね）が設けられていて、ユニット操作ハンドル２２は、自動で遮断器外側に復帰するものである。作業者は、挿入操作時、遮断器ハンドル３２を持ち、盤内挿入を行うものである。
【００５９】  挿入操作時には、テーパー面を有する移動側ロック部材２３が固定側ロック部材２５の係合穴２５ｃと係合することにより、テーパー面を有する移動側ロック部材２３が遮断器主回路搬送ユニット２０の中央方向へと移動する。移動側ロック部材２３のテーパー面の中央方向への移動に連動し、移動側ロック部材２３も遮断器主回路搬送ユニット２０の中央方向へと移動するため、挿入操作時には移動ロック機構の自動解除が可能である。
【００６０】  本実施の形態は、遮断器ユニット３０において、移動側ロック部材２３の遮断器挿入方向にテーパー面（テーパー部材２３ａ）を設けることにより、盤内挿入時には移動側ロック部材の自動解除が可能となる。このため、作業者は、挿入操作時に移動側ロック部材の解除が不要となるので、遮断器ハンドル３２を持ち、遮断器主回路３１の挿入操作を行うことが可能である。遮断器ハンドル３２は遮断器主回路３１の重心付近に配置されており、加えて作業者が加える力は図中Ｐ方向のみであるため、操作力を低下させることができる。
【００６１】  すなわち、本実施の形態に係わる遮断器は、スイッチング動作を行う遮断器主回路と、前記遮断器主回路を搬送する遮断器主回路搬送ユニットと、係合穴が開口されている固定側ロック部材と、ロック解除部材を有する移動側ロック部材が取り付けられているフロントサイドユニットと、前記遮断器主回路搬送ユニットに搭載された遮断器主回路を収容する配電盤とを備え、前記フロントサイドユニットと連結された遮断器主回路搬送ユニットが第１の位置から前記配電盤の奥側に向かって移動して、前記移動側ロック部材が有するロック解除部材が前記固定側ロック部材と接触すると、前記フロントサイドユニットの移動側ロック部材が連動してフロントサイドユニットの中央方向に移動し、前記遮断器主回路搬送ユニットがこの第１の位置よりも奥側の第２の位置に到達すると、前記移動側ロック部材のロック解除部材は、前記係合穴と係合して、前記フロントサイドユニットと連結された遮断器主回路搬送ユニットは移動がロックされることを特徴とする。
【００６２】実施の形態３．  以下、本発明の実施の形態３に係わる盤内挿入インターロック機構を備えた遮断器について図を参照して説明する。図２４は、本発明の実施の形態３に係る盤内挿入インターロック機構４０を説明するための斜視図である。この図では、遮断器主回路搬送ユニット２０および遮断器主回路３１は、引出位置に置かれている。実施の形態３に係わる盤内挿入インターロック機構４０は、実施の形態１に係る盤内挿入インターロック機構とは、固定側ロック部材２５の形状が異なる。
【００６３】  図２５は、この発明を実施するための実施の形態３に係わる盤内挿入インターロック機構４０の主要構成要素を表している、斜視図である。また同図は、遮断器主回路搬送ユニット２０およびユニット操作ハンドル２２の付近の拡大図である。この図では、遮断器主回路３１は、引出位置に置かれている。実施の形態３に係わる移動側ロック部材２３は、実施の形態１と同様に、フロントサイドユニット２６から外方向（反中央方向）に向かって突出している。実施の形態３に係わる固定側ロック部材２５には、移動側ロック部材２３に対応する位置に、係合穴２５ｅと固定側テーパー部材２５ｆ（ロック解除部材）が設けられている。固定側テーパー部材２５ｆは、テーパー形状を有しており、固定側ロック部材２５の入り口側に設けられている。
【００６４】  本実施の形態では、位置ロックの自動解除のため、盤側に移動側ロック部材２３に抗力を与える固定側テーパー部材２５ｆを設けたことを特徴とする。図では、固定側テーパー部材２５ｆを遮断器挿入方向に対して外側に傾けることにより構成しているが、テーパー形状に関しては問わないものとする。挿入操作時、作業者は遮断器ハンドル３２を持ち、盤内挿入を行うものである。挿入操作時には、移動側ロック部材２３は固定側テーパー部材２５ｆから抗力を受けることにより、移動側ロック部材２３が遮断器主回路搬送ユニット２０の中央方向へと移動する。最終的に、移動側ロック部材２３は、係合穴２５ｅに挿入されるので、挿入操作時には移動ロック機構の自動解除が可能である。
【００６５】  移動側ロック部材２３の遮断器筺体との係合部を、盤の正面側からみて両側に一対設け、各係合部を盤の幅方向に駆動操作可能にユニット操作ハンドル２２を設けている。このユニット操作ハンドル２２は、盤の前方に向かって斜め上方に向って傾斜した状態に設置している。ユニット操作ハンドル２２を盤の前方に向かって斜め上方に向って傾斜した状態に設置することで、遮断器前面で操作する作業者が斜め下を向いた状態で移動側ロック部材２３を操作する場合に、ユニット操作ハンドル２２が盤の前方（垂直）あるいは前方（水平）を向いている場合に比べて操作が容易になる。
【００６６】  以上説明したように、本実施の形態に係わる遮断器ユニットは、外部操作機構を有しており、配電盤の扉を閉めた状態で、試験位置から接続位置までの間で遮断器主回路（遮断器本体）の位置を操作することが可能である。遮断器主回路搬送ユニット２０には遮断器主回路３１が搭載されている。作業者は、配電盤の扉を開けた状態で、遮断器主回路搬送ユニット２０、および、遮断器主回路３１をＰ方向、Ｑ方向に操作し、盤内挿入と盤外引出を行うものである。挿入操作時、作業者はユニット操作ハンドル２２を持ち、図中のＰ方向に力を加え、遮断器主回路の挿入操作を行う。
【００６７】  本実施の形態は、固定側ロック部材２５に、位置ロックの自動解除のためのロック解除部材（固定側テーパー部材２５ｆ）を配置することを特徴とする。固定側テーパー部材２５ｆは、固定側ロック部材２５と一体化している。ユニット操作ハンドル２２には復元バネ２７（復帰ばね）が設けられていて、ユニット操作ハンドル２２は、自動で遮断器外側に復帰するものである。作業者は、挿入操作時、遮断器ハンドル３２を持ち、盤内挿入を行うものである。
【００６８】  挿入操作時には、フロントサイドユニット２６の移動側ロック部材２３が固定側ロック部材２５の固定側テーパー部材２５ｆと接触することにより、フロントサイドユニット２６の移動側ロック部材２３が遮断器主回路搬送ユニット２０の中央方向へと引き込み移動するため、挿入操作時には移動ロック機構の自動解除が可能である。フロントサイドユニット２６の移動側ロック部材２３の中央方向への移動に連動し、ユニット操作ハンドル２２も遮断器主回路搬送ユニット２０の中央方向へと移動するため、挿入操作時には移動ロック機構の自動解除が可能である。
【００６９】  本実施の形態は、遮断器ユニット３０において、固定側ロック部材２５の入り口側に、固定側テーパー部材２５ｆを設けることにより、盤内挿入時には移動側ロック部材の自動解除が可能となる。このため、作業者は、挿入操作時に移動側ロック部材の解除が不要となるので、遮断器ハンドル３２を持ち、遮断器主回路３１の挿入操作を行うことが可能である。遮断器ハンドル３２は遮断器主回路３１の重心付近に配置されており、加えて作業者が加える力は図中Ｐ方向のみであるため、操作力を低下させることができる。
【００７０】  すなわち、本実施の形態に係わる遮断器は、スイッチング動作を行う遮断器主回路と、前記遮断器主回路を搬送する遮断器主回路搬送ユニットと、係合穴が開口されている固定側ロック部材と、移動側ロック部材が取り付けられているフロントサイドユニットと、前記遮断器主回路搬送ユニットに搭載された遮断器主回路を収容する配電盤とを備え、前記固定側ロック部材には、ロック解除部材が取り付けられていて、前記フロントサイドユニットと連結された遮断器主回路搬送ユニットが第１の位置から前記配電盤の奥側に向かって移動して、前記フロントサイドユニットの移動側ロック部材が前記固定側ロック部材のロック解除部材と接触すると、前記フロントサイドユニットの移動側ロック部材が連動してフロントサイドユニットの中央方向に移動し、前記遮断器主回路搬送ユニットがこの第１の位置よりも奥側の第２の位置に到達すると、前記移動側ロック部材は、前記係合穴と係合して、前記フロントサイドユニットと連結された遮断器主回路搬送ユニットは移動がロックされることを特徴とする。
【００７１】  なお、本発明は、その発明の範囲内において、実施の形態を自由に組み合わせたり、各実施の形態を適宜、変形、省略することが可能である。
【符号の説明】
【００７２】２０  遮断器主回路搬送ユニット、２１  キャスター、２２  ユニット操作ハンドル、２３  移動側ロック部材、２４  テーパー部材、２４ａ  リベット、２４ｂ  主要辺、２５  固定側ロック部材、２５ａ  第１の係合穴、２５ｂ  第２の係合穴、２５ｃ  係合穴、２５ｄ  内側上辺、２５ｅ  係合穴、２５ｆ  固定側テーパー部材、２６  フロントサイドユニット、２７  復元バネ、２８  ユニット操作レバー、３０  遮断器ユニット、３１  遮断器主回路、３２  遮断器ハンドル、３４  絶縁カバー、３５  背板、３６  側板、３７  スライドベース、４０  盤内挿入インターロック機構、７０  操作棒、９０  配電盤、９１  配電盤本体、９２  配電盤扉、９２ａ  扉開口部、１００  遮断器、１０３  水平母線、１０４  ケーブル、１０５  接続部、１０６  変流器 
【図１】
2018142454.tif 000003
【図２】
2018142454.tif 000004
【図３】
2018142454.tif 000005
【図４】
2018142454.tif 000006
【図５】
2018142454.tif 000007
【図６】
2018142454.tif 000008
【図７】
2018142454.tif 000009
【図８】
2018142454.tif 000010
【図９】
2018142454.tif 000011
【図１０】
2018142454.tif 000012
【図１１】
2018142454.tif 000013
【図１２】
2018142454.tif 000014
【図１３】
2018142454.tif 000015
【図１４】
2018142454.tif 000016
【図１５】
2018142454.tif 000017
【図１６】
2018142454.tif 000018
【図１７】
2018142454.tif 000019
【図１８】
2018142454.tif 000020
【図１９】
2018142454.tif 000021
【図２０】
2018142454.tif 000022
【図２１】
2018142454.tif 000023
【図２２】
2018142454.tif 000024
【図２３】
2018142454.tif 000025
【図２４】
2018142454.tif 000026
【図２５】
2018142454.tif 000027
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
スイッチング動作を行う遮断器主回路と、
前記遮断器主回路を搬送する遮断器主回路搬送ユニットと、
係合穴が開口されている固定側ロック部材と、
復元力を有する移動側ロック部材が取り付けられているフロントサイドユニットと、
前記遮断器主回路搬送ユニットに搭載された遮断器主回路を収容する配電盤とを備え、
前記フロントサイドユニットにはロック解除部材が取り付けられていて、
このロック解除部材は、前記移動側ロック部材よりも奥側に配置されており、
前記遮断器主回路搬送ユニットが第１の位置に置かれている場合には、前記移動側ロック部材は初期位置にあり、
前記遮断器主回路搬送ユニットが前記第１の位置から奥側に向かって移動すると、前記ロック解除部材と連動して前記移動側ロック部材が引き込み位置に向かって移動し、
前記遮断器主回路搬送ユニットが前記第１の位置よりも奥側の第２の位置に到達すると、前記移動側ロック部材は、前記引き込み位置から初期位置に復帰して、前記固定側ロック部材に開口されている係合穴と係合していることを特徴とする遮断器。
【請求項２】
前記固定側ロック部材には、ロック解除部材と係合する係合穴が開口されていることを特徴とする請求項１に記載の遮断器。
【請求項３】
前記ロック解除部材は、前記フロントサイドユニットの移動側ロック部材に取り付けられていることを特徴とする請求項１に記載の遮断器。
【請求項４】
スイッチング動作を行う遮断器主回路と、
前記遮断器主回路を搬送する遮断器主回路搬送ユニットと、
係合穴が開口されている固定側ロック部材と、
復元力を有する移動側ロック部材が取り付けられているフロントサイドユニットと、
前記遮断器主回路搬送ユニットに搭載された遮断器主回路を収容する配電盤とを備え、
前記固定側ロック部材の入り口側にはロック解除部材が取り付けられていて、
前記遮断器主回路搬送ユニットが第１の位置に置かれている場合には、前記移動側ロック部材は初期位置にあり、
前記遮断器主回路搬送ユニットが前記第１の位置から奥側に向かって移動すると、前記ロック解除部材と連動して前記移動側ロック部材が引き込み位置に向かって移動し、
前記遮断器主回路搬送ユニットが前記第１の位置よりも奥側の第２の位置に到達すると、前記移動側ロック部材は、前記引き込み位置から初期位置に復帰して、前記固定側ロック部材に開口されている係合穴と係合していることを特徴とする遮断器。
【請求項５】
前記フロントサイドユニットには、ユニット操作レバーが取り付けられていることを特徴とする請求項１から４のいずれか１項に記載の遮断器。
【請求項６】
前記第２の位置で、前記ユニット操作レバーを移動すると、連結されていたフロントサイドユニットと遮断器主回路搬送ユニットは分離し、
前記遮断器主回路搬送ユニットに搭載されている遮断器主回路が、更に奥側に第３の位置まで移動することを特徴とする請求項５に記載の遮断器。
【請求項７】
前記フロントサイドユニットには、傾斜しているユニット操作ハンドルが取り付けられていることを特徴とする請求項１から４のいずれか１項に記載の遮断器。
【請求項８】
前記ユニット操作ハンドルと前記移動側ロック部材は、連動して動くことを特徴とする請求項７に記載の遮断器。
【請求項９】
前記ユニット操作ハンドルと前記移動側ロック部材は、復元力を有していることを特徴とする請求項７に記載の遮断器。
【請求項１０】
前記配電盤は、開口が設けられている扉を有していることを特徴とする請求項１から４のいずれか１項に記載の遮断器。
【手続補正２】
【補正対象書類名】明細書
【補正対象項目名】００１１
【補正方法】変更
【補正の内容】
【００１１】
本発明に係わる遮断器は、スイッチング動作を行う遮断器主回路と、遮断器主回路を搬送する遮断器主回路搬送ユニットと、係合穴が開口されている固定側ロック部材と、復元力を有する移動側ロック部材が取り付けられているフロントサイドユニットと、遮断器主回路搬送ユニットに搭載された遮断器主回路を収容する配電盤とを備え、フロントサイドユニットにはロック解除部材が取り付けられていて、このロック解除部材は、移動側ロック部材よりも奥側に配置されており、遮断器主回路搬送ユニットが第１の位置に置かれている場合には、移動側ロック部材は初期位置にあり、遮断器主回路搬送ユニットが第１の位置から奥側に向かって移動すると、ロック解除部材と連動して移動側ロック部材が引き込み位置に向かって移動し、遮断器主回路搬送ユニットが第１の位置よりも奥側の第２の位置に到達すると、移動側ロック部材は、引き込み位置から初期位置に復帰して、固定側ロック部材に開口されている係合穴と係合していることを特徴とする。
【手続補正３】
【補正対象書類名】明細書
【補正対象項目名】００１２
【補正方法】変更
【補正の内容】
【００１２】
本発明に係わる遮断器は、スイッチング動作を行う遮断器主回路と、遮断器主回路を搬送する遮断器主回路搬送ユニットと、係合穴が開口されている固定側ロック部材と、復元力を有する移動側ロック部材が取り付けられているフロントサイドユニットと、遮断器主回路搬送ユニットに搭載された遮断器主回路を収容する配電盤とを備え、フロントサイドユニットにはロック解除部材が取り付けられていて、このロック解除部材は、移動側ロック部材よりも奥側に配置されており、遮断器主回路搬送ユニットが第１の位置に置かれている場合には、移動側ロック部材は初期位置にあり、遮断器主回路搬送ユニットが第１の位置から奥側に向かって移動すると、ロック解除部材と連動して移動側ロック部材が引き込み位置に向かって移動し、遮断器主回路搬送ユニットが第１の位置よりも奥側の第２の位置に到達すると、移動側ロック部材は、引き込み位置から初期位置に復帰して、固定側ロック部材に開口されている係合穴と係合していることを特徴とすることにより、第２の位置に到達すると、移動側ロック部材は、引き込み位置から初期位置に復帰する。
【国際調査報告】
2018142454.tif 000028
2018142454.tif 000029
2018142454.tif 000030
2018142454.tif 000031